(57)【要約】      （修正有）【課題】製作全体に要する手間と時間並びにコストを大幅に軽減しつつ該包装箱と同様の効果を得る組み立て式段ボール製包装箱を提供する。【解決手段】一枚の段ボール板紙を裁断して、左右に、夫々の短辺２ａ，３ａが中芯２Ａ，３Ａの段条と平行する、幅の異なる長方形状の箱形成体２，３を形成する。これら箱形成体２，３を、それらが接する側の長辺２ｂ，３ｂの中央よりやや下側において、左側の幅の広い側の箱形成体２の長辺２ｂを一方の斜辺４ａとし、右側の幅の狭い側の箱形成体３の長辺３ｂから中心部寄りにかけての部分をもう一方の斜辺４ｂとし、更に底辺４ｃを円弧状になし、右側の幅の狭い側の箱形成体３の該底辺４ｃの部分に切り込み５を入れると共に、両斜辺４ａ，４ｂに夫々折線６，７をつけて形成した頂角４５度の逆三角形状の連結片部４により連結する。【選択図】図２
0003165510.tif 000002
【実用新案登録請求の範囲】
【請求項１】
一枚の段ボール板紙を裁断して、左右に、夫々の短辺が中芯の段条と平行する、幅の異なる長方形状の箱形成体を形成し、これら箱形成体を、それらが接する側の長辺の中央よりやや下側において、左側の幅の広い側の箱形成体の長辺を一方の斜辺とし、右側の幅の狭い側の箱形成体の長辺から中心部寄りにかけての部分をもう一方の斜辺とし、更に底辺を円弧状になし、右側の幅の狭い側の箱形成体の該底辺の部分に切り込みを入れると共に、両斜辺に折線をつけて形成した頂角４５度の逆三角形状の連結片部により連結し、更に前記左側の幅の広い側の箱形成体の前記連結片部と反対側の長辺の中央部にロック用舌状片を形成する一方、前記右側の幅の狭い側の箱形成体の長さ方向における上部寄りの位置に、前記ロック用舌状片を差し込むロック用切欠孔を設けてなる組み立て式段ボール製包装箱。
【請求項２】
右側の幅の狭い側の箱形成体の長さ方向における略中央部に、コ字形の切り込みを入れて被包装物固定用の切り起こし片部を設けてなる請求項１記載の組み立て式段ボール製包装箱。
【請求項３】
左側の幅の広い側の箱形成体の左右両方の長辺に、前記連結片部とロック用舌状片の夫々を挟むように所要幅の突出片を形成してなる請求項１又は２記載の組み立て式ダンボール製包装箱。
【考案の詳細な説明】
【技術分野】
【０００１】  本考案は組み立て式段ボール製包装箱に関するものである。
【背景技術】
【０００２】  本考案者は、先に図７乃至図１０に示す組み立て式段ボール製包装箱を案出した。（特許文献１）【０００３】  該組み立て式段ボール製包装箱１００は、短辺１０１ａ，１０２ａが中芯１０１Ａ，１０２Ａの段条と平行となるようになした長方形状の段ボール板紙１０１，１０２を２枚１組とし、これら２枚１組の段ボール板紙１０１，１０２を重合し、長さ方向及び幅方向の中心位置において連結軸１０３をもって連結すると共に該連結軸１０３を回動支点として回動させ、直交状態とすることを可能となしたものである。【０００４】  また、一方側の段ボール板紙１０２の幅を他方側の段ボール板紙１０１の幅より若干大きくし、且つ該一方側の段ボール板紙１０２の長辺側の縁に、両端部を所要の長さＬ残して所要幅の突出片１０４，１０４を一体的に形成し、更に該突出片１０４，１０４の中央部に、切目１０５，１０５を入れて他方側の段ボール板紙１０１の幅よりも若干狭い切り起こし片部１０６，１０６を設けてなると共に該切り起こし片部１０６，１０６の基部に折線１０７，１０７をつけている。【０００５】  また、上記の如く２枚１組の段ボール板紙１０１，１０２を連結軸１０３を回動支点として回動させ、直交状態とするものであることから、段ボール板紙を円形に切断して形成した連結軸１０３を段ボール板紙１０１に設けた円形の切欠部１０８に摺動自在に嵌合し、該連結軸１０３の上端部に該円形の切欠部１０８より大径の厚紙等１０９を接着すると共に該厚紙等１０９を該段ボール板紙１０１の上面に摺接させる一方、該連結軸１０３の下端部を接着剤１１０をもって段ボール板紙１０２の上面に接着している。また、その他図中１１１は一部を残して長円形に切断し、開閉することができるようになした覗き窓である。【０００６】  そして、上記組み立て式段ボール製包装箱１００は、それを使用する場合には、先ず段ボール板紙１０１，１０２を、図７に示す如く同一方向に揃った状態から、図８に示す如く連結軸１０３を回動支点として回動させて直交状態とする。そして、図１０に示す如く、段ボール板紙１０１の両側部を被包装物（図示せず。）の大きさに適合する位置において内側に順次折り曲げる。その後段ボール板紙１０２の両側部を被包装物の大きさに適合する位置において内側に順次折り曲げる。そして最後に切り起こし片部１０６，１０６を起こして段ボール板紙１０１の側壁の外部に被せ、梱包テープ（図示せず。）等で固定するものである。【０００７】  上記組み立て式段ボール製包装箱１００は、上記の如き構成であり、重合した２枚の段ボール板紙１０１，１０２を、その向きを変えて直交状態とすれば、いずれもその短辺が中芯の段条と平行するから、どの位置においても簡単に折り曲げることができるものである。したがって、折線をつける必要がなく、これに要する手間と時間を省くことができる。またひいてはコストを低減することもできるものである。また、２枚の段ボール板紙１０１，１０２を同一方向に揃えて重ねることにより、保管時には場所をとらず且つまた運搬時には持ち易くなる。更にまた、どの位置においても簡単に折り曲げることができるから、１種類でどのような大きさの被包装物にも対応することができるものである。【０００８】  また、一方側の段ボール板紙１０２の幅を他方側の段ボール板紙１０１の幅より若干大きくし、且つ該一方側の段ボール板紙１０２の長辺側の縁に、両端部を所要の長さＬ残して所要幅の突出片１０４，１０４を一体的に形成し、更に該突出片１０４，１０４の中央部に、切目１０５，１０５を入れて他方側の段ボール板紙１０１の幅よりも若干狭い切り起こし片部１０６，１０６を設けるようにしているから、突出片１０４，１０４により衝撃が緩和されると共に切り起こし片部１０６，１０６が段ボール板紙１０１の側壁の外部に被さるから補強され、丈夫になる。加えて、切り起こし片部１０６，１０６が立つことによって窪みができ、この窪みと内側の段ボール板紙１０１の上面に被さる段ボール板紙１０２の合わせ目の段部とによって掛け回した梱包テープ等のずれを防止することもできるものである。【０００９】  本考案者が先に案出した上記組み立て式段ボール製包装箱１００は、上記の如く実用上において優れた効果を奏するものであるが、形状の異なる２枚の段ボール板紙１０１，１０２を夫々別々に製作しなければならず、そしてまた、それら２枚の段ボール板紙１０１，１０２を連結軸１０３をもって連結一体化しなければならず、各部材の製作に手間がかかると共に、２枚の段ボール板紙１０１，１０２を更に連結軸１０３をもって連結するという作業が必要であり、製作全体に要する手間と時間並びにコストがかかり過ぎるという問題点がある。
【先行技術文献】
【特許文献】
【００１０】
【特許文献１】特開２００５−２１９８０６号公報
【考案の概要】
【考案が解決しようとする課題】
【００１１】  本考案は上記の点に鑑みなされたものであって、本考案者が先に案出した上記組み立て式段ボール製包装箱よりも製作全体に要する手間と時間並びにコストを大幅に軽減しつつ該包装箱と同様の効果を得ることができるようになした組み立て式ダンボール製包装箱を提供しようとするものである。
【課題を解決するための手段】
【００１２】  而して、本考案の要旨とするところは、一枚の段ボール板紙を裁断して、左右に、夫々の短辺が中芯の段条と平行する、幅の異なる長方形状の箱形成体を形成し、これら箱形成体を、それらが接する側の長辺の中央よりやや下側において、左側の幅の広い側の箱形成体の長辺を一方の斜辺とし、右側の幅の狭い側の箱形成体の長辺から中心部寄りにかけての部分をもう一方の斜辺とし、更に底辺を円弧状になし、右側の幅の狭い側の箱形成体の該底辺の部分に切り込みを入れると共に、両斜辺に折線をつけて形成した頂角４５度の逆三角形状の連結片部により連結し、更に前記左側の幅の広い側の箱形成体の前記連結片部と反対側の長辺の中央部にロック用舌状片を形成する一方、前記右側の幅の狭い側の箱形成体の長さ方向における上部寄りの位置に、前記ロック用舌状片を差し込むロック用切欠孔を設けてなる組み立て式段ボール製包装箱にある。【００１３】  また、上記構成において、右側の幅の狭い側の箱形成体の長さ方向における略中央部に、コ字形の切り込みを入れて被包装物固定用の切り起こし片部を設けるようにしてもよい。【００１４】  更にまた、上記構成において、左側の幅の広い側の箱形成体の左右両方の長辺に、前記連結片部とロック用舌状片の夫々を挟むように所要幅の突出片を形成するようになしてもよい。
【考案の効果】
【００１５】  本考案は上記の如き構成であり、一枚の段ボール板紙を打ち抜いて裁断するだけで箱形成体の全体を製作することができ、そしてまた左右に形成された幅の異なる長方形状の箱形成体は、これらと同時に一体形成される連結片部をもって連結されているものであるから、本考案者が先に案出した包装箱の如く、２枚の段ボール板紙と連結軸を夫々別々に製作し、そして２枚の段ボール板紙を連結軸をもって連結するという、製作全体に要する多大な手間と時間並びにコストを大幅に軽減することができるものである。而も該包装箱と同様の効果を得ることができるものである。【００１６】  また、右側の幅の狭い側の箱形成体の長さ方向における略中央部に、コ字形の切り込みを入れて被包装物固定用の切り起こし片部を設けるようになした場合には、被包装物固定用の切り起こし片部を起こして立ち上がらせることによって被包装物の周縁部を保持し、固定することができる。したがって、被包装物の箱の内部でのズレを阻止し、配送中における被包装物の破損や箱の内面の損傷を防止することができる。斯かる効果は、箱のサイズが例えば書籍を想定して製作されている場合において、書籍よりもサイズの小さいＦＤやＣＤ，ＤＶＤ等を収容するときに特に有効である。【００１７】  また、左側の幅の広い側の箱形成体の左右両方の長辺に、前記連結片部とロック用舌状片の夫々を挟むように所要幅の突出片を形成するようになした場合には、被包装物を収容し、箱として完成させたときにおいて、各突出片の出っ張りにより衝撃が緩和されると共に、連結片部とロック用舌状片の夫々の部分にできる窪みに梱包テープ等を掛け回したとき、該梱包テープ等のズレを防止することができる。
【図面の簡単な説明】
【００１８】
【図１】本考案の第１実施形態に係る組み立て式段ボール製包装箱のライナーを一部切欠して示した展開平面図である。
【図２】本考案の第２実施形態に係る組み立て式段ボール製包装箱のライナーを一部切欠して示した展開平面図である。
【図３】同連結片部を支点にして右側の箱形成体を左側の箱形成体上に捩じって回している状態の斜視図である。
【図４】同右側の箱形成体を左側の箱形成体上に重合し、直行状態を保持した状態の平面図である。
【図５】同組み立て途中の斜視図である。
【図６】同組み立て完了時の斜視図である。
【図７】本考案者による先行例のライナーを一部切欠して示した斜視図である。
【図８】同使用のために直交させた状態のライナーを一部切欠して示した斜視図である。
【図９】同連結軸部分の拡大縦断面図である。
【図１０】同組み立て途中の斜視図である。
【考案を実施するための形態】
【００１９】    以下、本考案を実施するための形態について、図面を参照して説明する。
【００２０】  図１は本考案の第１実施形態を示すものであり、該図において、１は組み立て式段ボール製包装箱である。また、該組み立て式段ボール製包装箱１は、一枚の段ボール板紙を裁断して、左右に、夫々の短辺２ａ，３ａが中芯２Ａ，３Ａの段条と平行する、幅の異なる長方形状の箱形成体２，３を形成し、これら箱形成体２，３を、それらが接する側の長辺２ｂ，３ｂの中央よりやや下側において、左側の幅の広い側の箱形成体２の長辺２ｂを一方の斜辺４ａとし、右側の幅の狭い側の箱形成体３の長辺３ｂから中心部寄りにかけての部分をもう一方の斜辺４ｂとし、更に底辺４ｃを円弧状になし、右側の幅の狭い側の箱形成体３の該底辺４ｃの部分に切り込み５を入れると共に、両斜辺４ａ，４ｂに夫々折線６，７をつけて形成した頂角４５度の逆三角形状の連結片部４により連結し、更に前記左側の幅の広い側の箱形成体２の前記連結片部４と反対側の長辺２ｂの中央部にロック用舌状片８を形成する一方、前記右側の幅の狭い側の箱形成体３の長さ方向における上部寄りの位置に、前記ロック用舌状片８を差し込むロック用切欠孔９を設けてなるものである。尚、１０は前記ロック用舌状片８の基部につけた折線である。また、本実施形態においては、更に、右側の幅の狭い側の箱形成体３の長さ方向における略中央部に、コ字形の切り込み１１を入れて被包装物固定用の切り起こし片部１２を設けている。尚、１３は前記被包装物固定用の切り起こし片部１２の基部につけた折線である。また、本実施形態における被包装物固定用の切り起こし片部１２は、複数とし、位置と角度を変えて設けている。
【００２１】  次に、図２乃至図６に示した本考案の第２実施形態について説明する。
而して、本実施形態において前記第１実施形態と相違する点は、本実施形態において、前記左側の幅の広い側の箱形成体２の左右両方の長辺２ｂ，２ｂに、前記連結片部４とロック用舌状片８の夫々を挟むように所要幅の突出片１４，１４，１５，１５を形成している点である。尚、その他の構成は前記第１実施形態と同様であるから、同一の部材には同一の符号を付して詳細な説明は省略する。
【００２２】  次に、本実施形態の使用方法について説明する。
使用する場合には、先ず、図２に示した平面状態から、図３に示す如く、連結片部４を各折線６，７において折り曲げて起立させつつ、これを支点として右側の幅の狭い側の箱形成体３を左側の幅の広い側の箱形成体２上に捩じって回し、最後に図４に示す如く、それら箱形成体２，３を直交状態とする。尚、このときにおいては連結片部４は最初の状態から反対側に倒れて上下の箱形成体２，３間に挟まれた状態となっている。そして、この状態はロック用舌状片８をロック用切欠孔９に差し込むことによって保持される。その後、図５に示す如く、箱形成体３の両側部を被包装物Ｓの大きさに適合する位置において内側に順次折り曲げる。そして更にその後箱形成体２の両側部を被包装物Ｓの大きさに適合する位置において内側に順次折り曲げる。そして最後に、図６に示す如く、梱包テープＴ等で固定するものである。
【符号の説明】
【００２３】１  組み立て式段ボール製包装箱
２  箱形成体
２ａ  短辺
２ｂ  長辺
２Ａ  中芯
３  箱形成体
３ａ  短辺
３ｂ  長辺
３Ａ  中芯
４  連結片部
４ａ，４ｂ  斜辺
４ｃ  底辺
６，７  折線
８  ロック用舌状片
９  ロック用切欠孔
１２  被包装物固定用の切り起こし片部
１４，１４  突出片
１５，１５  突出片
【図１】
0003165510.tif 000003
【図２】
0003165510.tif 000004
【図３】
0003165510.tif 000005
【図４】
0003165510.tif 000006
【図５】
0003165510.tif 000007
【図６】
0003165510.tif 000008
【図７】
0003165510.tif 000009
【図８】
0003165510.tif 000010
【図９】
0003165510.tif 000011
【図１０】
0003165510.tif 000012